(57)【特許請求の範囲】
【請求項１】
箱状構造体の本体開口部内面とこの内面に交差して接続される仕切体との角部に取着されるコーナカバーは、
２つの端板からなるＬ形断面を有した板状本体と、
前記２つの端板の一方の裏面に形成され、一対の係止爪を具備した弾性押込係止部材と、
前記２つの板状本体の他方の裏面に形成され、前記弾性押込係止部材の押込挿入方向に延びた前記本体に係合する本体用引掛部及び前記仕切体に係合する仕切体用引掛部を有する、引掛係止部材と
を備え、
前記角部に近接して、前記本体開口部内面及び前記仕切体に設けられた穴に、前記弾性押込係止部材及び前記引掛係止部材が挿入されて、前記コーナカバーが保持されることを特徴とする箱状構造体の交差部接続構造。
【請求項２】
箱状構造体の本体開口部内面又は前記仕切体と、別の本体開口部内面又は別の仕切体とが交差する角部に取着されるコーナカバーは、
２つの端板からなるＬ形断面を有した板状本体と、
前記板状本体の両側端にそれぞれ薄肉のＬ形側端覆いを形成し、前記２つの端板の一方の裏面に突出して形成された、先端に引掛部が形成された舌状部材と、
前記２つの端板の他方の裏面に形成された突起と
を備え、
前記角部に近接して、前記本体開口部内面または前記仕切体に設けられた穴に、前記舌状部材が挿入されて、前記コーナカバーが保持されることを特徴とする箱状構造体の交差部接続構造。
【請求項３】
前記本体開口部内面又は前記仕切体と、前記別の本体開口部又は前記仕切体との交差部に前記コーナカバーを取り付けるＬ形断面のブレースを設け、
前記ブレースの幅を同交差部の幅より小さくし、前記ブレースの中央部に前記コーナカバーの前記舌状部材を受け入れて保持する係止穴を形成してなることを特徴とする請求項２に記載の箱状構造体の交差部接続構造。
【請求項４】
前記ブレースの前記係止穴の側縁部に、裏側に突出する折り曲げ部を形成し、
前記コーナカバーの前記舌状部材が前記折り曲げ部に係止されて、前記コーナカバーが固定されることを特徴とする請求項３に記載の箱状構造体の交差部接続構造。
【請求項５】
前記ブレースの外端に、裏側に突出する折り曲げ部を形成し、
前記係止穴の近傍に延びた前記折り曲げ部が、前記コーナカバーの前記舌状部材を係止し、これにより前記コーナカバーを保持するようにしたことを特徴とする請求項３に記載の箱状構造体の交差部接続構造。
【請求項６】
前記仕切体が、コ状断面の前面枠と前記前面枠に嵌装された内装枠とから構成され、
前記前面枠の両端部に、前記コーナカバーの前記舌状部材を受け入れて保持する穴を形成してなることを特徴とする請求項２に記載の箱状構造体の交差部接続構造。
【請求項７】
前記コーナカバーの前記舌状部材の先端が、前記本体又は前記仕切体の内部の断熱材発泡充填領域内へ延出し、
前記舌状部材が発泡断熱材に碇着されることを特徴とする請求項２に記載の箱状構造体の交差部接続構造。
【発明の詳細な説明】
【０００１】
【発明の属する技術分野】
本発明は、貯蔵庫等の箱状構造体の構造に関し、特に箱状構造体の開口部に設けられる仕切体と本体との交差部等の構造に関する。
【０００２】
【従来の技術】
冷蔵庫等貯蔵庫は、例えば、図２２に示すように構成される。図において、貯蔵庫１の本体３は、前面に開口を具え、これは、縦仕切体５ａ、５ｂと、横仕切体７ａ、７ｂとによって、複数の小開口に仕切られる。図２２は、勿論概念図であり、仕切体の数は、実際には様々であるが、図に示すように、本体３の内面と仕切体５ｂ、７ａ、７ｂとの交差部や、仕切体５ａ、５ｂ、７ａ、７ｂ相互の交差部に角部９が生じ、図２３に示すようにコーキング９ａを設けて、角部９に生じる隙間を隠している。
なお、コーキングをするには、当該部分にプライマー（液体）を付け、その後にコーキングが施される。
又、冷蔵庫等の断熱箱の開口隅部を当て金式に覆うコーナカバーも提案されている（実開昭６０−６３７６８号、実開平３−２２６９２号、実開平３−２３７８５号各公報）。このコーナカバーは、交差する化粧枠の表面に接するように、ほぼ９０度曲げて成形された樹脂製板状体で、両側のフランジ部に形成された内向き突起が化粧枠の両縁に係合されて取り付けられる。
【０００３】
このような従来のコーナカバーを開口隅部に簡単に取り付けるため、本体側にブレース（留め金具）をビス又はリベット等で固定することも行われている。これを図２４及び図２５を参照して説明すると本体５０を形成する外箱５１と内箱５３とは化粧枠５５で連結されていて、化粧枠５５の交差部に空隙部５７が形成されている。この空隙部５７内に位置してＬ形断面のブレース（コーナ板）５９がビス６１により固定されている。ブレース５９の前端５９ａは、コーナカバー６３の係止部とするため外箱５１の外側に突出している。コーナカバー６３が取り付けられると図２６に示される状態となる。
【０００４】
【発明が解決しようとする課題】
前述のコーキングを設ける従来技術では、作業者によってコーキングがばらつき、コーキングの見た目がばらばらだったり、コーキング部に隙間ができたり、更には、輸送時や扉の開閉時にコーキングがはがれたりするという問題があった。又、作業時、コーキングを必要としない別の箇所にコーキング材が付着したり、作業者の手、身体の一部に汚れがついたりして、コーキングの周辺があまりきれいでなかった。
又、成形された樹脂製コーナカバーを用いる従来技術では、取付が簡単で、安定した外観の接続部構造が得られるのであるが、外力等が作用して一旦両端縁の係止部が外れると、コーナカバーが脱落しやすいものであった。
更に又、コーナカバーを取り付けるためブレースを使用する場合、係止部を確保するためブレースの前端（外側端）が外面から突出しているので、コーナカバーの前端もかなり突出せざるを得ない。このため開口部全体を覆うドアを閉じた場合、コーナカバーが、ドアの一部例えばパッキンなどに干渉し、異音の発生、気密性の低下等の問題を生じることがあった。又、前方への突出も大きく、見栄えが劣るとかドアとの干渉のためにコーナカバー自体の脱落が生じ易くなるという問題もあった。更には、断熱性の箱状構造体の本体内に、断熱材等を発泡充填するに際し、外側に突出したブレーズがあるため発泡治具の構造が複雑になるという製作上の問題もあった。
従って、本発明は、上述の問題点を解決するためになされたもので、装着が簡単で且つ安定した品質と清潔で見栄えの良い外観が得られ、更には脱落がしにくいコーナカバーを持つ箱状構造体の交差部接続構造を提供することを課題とするものである。
【０００５】
【課題を解決するための手段】
以上のような課題を解決するため、本発明による箱状構造体の交差部接続構造は、次のように構成される。即ち、箱状構造体の交差部接続構造は、箱状構造体の本体開口部内面とこの内面に交差して接続される仕切体との角部に取着されるコーナカバーは、２つの端板からなるＬ形断面を有した板状本体と、前記２つの端板の一方の裏面に形成され、一対の係止爪を具備した弾性押込係止部材と、前記２つの板状本体の他方の裏面に形成され、前記弾性押込係止部材の押込挿入方向に延びた前記本体に係合する本体用引掛部及び前記仕切体に係合する仕切体用引掛部を有する、引掛係止部材とを備え、前記角部に近接して、前記本体開口部内面及び前記仕切体に設けられた穴に、前記弾性押込係止部材及び前記引掛係止部材が挿入されて、前記コーナカバーが保持されている。この構造では、コーナカバーは、従来の両側端のフランジ部ではなく、端板の裏面に形成した弾性係止部材を交差角部を構成する部材の穴に挿入係止して固定される。好ましい実施形態では、前記弾性係止部材を一対の係止爪を具備したＵ字形弾性押込係止部材とし、更にその板状本体の他端板の裏面に前記係止爪の押込方向に延びた引掛部が先端に形成された引掛係止部材を形成してコーナカバーが構成され、前記箱状構造体の内面と仕切体の夫々の所要部に、前記２つの係止部材を受入れる穴が形成している。この実施形態では、Ｕ字形弾性押込係止部材の係止爪がコーナカバーの一端板をしっかりと保持すると共に、引掛係止部材も他の端板の離脱方向の動きを阻止する。
【０００６】
更に、本発明の別の実施形態において、箱状構造体の交差部接続構造は、箱状構造体の本体開口部内面又は前記仕切体と、別の本体開口部内面又は別の仕切体とが交差する角部に取着されるコーナカバーは、２つの端板からなるＬ形断面を有した板状本体と、前記板状本体の両側端にそれぞれ薄肉のＬ形側端覆いを形成し、前記２つの端板の一方の裏面に突出して形成された、先端に引掛部が形成された舌状部材と、前記２つの端板の他方の裏面に形成された突起とを備え、前記角部に近接して、前記本体開口部内面または前記仕切体に設けられた穴に、前記舌状部材が挿入されて、前記コーナカバーが保持される。この実施形態では、舌状部材がコーナカバーを本体又は仕切体に係止して離脱を阻止するが、側端覆いが角部の隙間を覆い隠すと共にコーナカバーの横方向のずれを防止する。舌状部材を受け入れる穴は、本体や仕切体の構造部材に直接形成したり、あるいは特別に設けるブレースに形成される。更に、コーナカバーの固定を確実にするため、舌状部材の先端部を本体又は仕切体内の発泡断熱材で固定してもよい。
【０００７】
【発明の実施の形態】
以下、添付の図面を参照して本発明の実施の形態を説明する。
図１において、貯蔵庫１０の本体１１の前面開口は、垂直な仕切体１３と横行きの仕切体１５、１７によって四個の小開口に分けられている。仕切体１５、１７は、それぞれ本体１１、仕切体１３の垂直面に対し接続部１５ａ、１５ｂ、１７ａ、１７ｂで交差接続している。本体１１の内面には、例示するように、化粧枠１１ａ、１１ｂが張設され、仕切体１３、１７にも化粧枠１３ａ、１３ｂ、１５ｃ、１７ｃが張られ、これら化粧枠の接続部（小開口隅部）にコーナカバー２０が取着されている。
【０００８】
コーナカバー２０の詳細が拡大されて図２、図３、図４及び図５に示されている。図に示されるように、コーナカバー２０の本体２１は、概略Ｌ形断面（特に図５参照）をしており、側板２１ａ、２１ｂを具えている。このようなコーナカバー２０は、図６に示すような貯蔵庫本体１１と仕切体１５、仕切体１３と仕切体１７との交差接続部に取着される（図１）のであるが、一方の交差部材の面に隣接する本体２１の一端面２１ｃの裏面に引掛係止部材２３が突設されている。更に、他方の交差部材の面に隣接する本体２１の他端面２１ｄの裏面には、押込係止部材２５が固定されている。特に図４に明らかなように、押込係止部材２５は、両端に形成された一対の弾性的な係止爪２５ａ、２５ｂを具え、これらは中間部２５ｃにより連結されて、Ｕ字形（又は、見る方向によっては逆Ｕ字形）をなしている。これらの係止爪２５ａ、２５ｂは、図６に示す仕切体１５、１７及びその化粧枠１５ｃ、１７ｃに設けられた角穴２７に挿入すると、係止爪２５ａ、２５ｂは内側に若干変形して押し込まれ、爪の後背部で離脱が防止される。
【０００９】
前述の引掛係止部材２３は、特に図５に明示されるように、先端に本体用引掛部２３ａと仕切体用引掛部２３ｂとが、押込係止部材２５の押込挿入方向に延びて形成されている。本実施形態において、引掛部２３ａ、２３ｂが２個設けられているのは、図６に示す２箇所に取付けるコーナカバーを１種類のコーナカバー２０で共用しようとするもので、取付箇所によっては、引掛部２３ａ、２３ｂの一方が遊ぶことになる。コーナカバー２０の引掛係止部材２３は、本体１１の化粧枠１１ｂの角穴２９、仕切体１３の角穴３１に挿入される。
【００１０】
図７及び図８に、前述の角穴２９、３１が、断面図として示されている。図７に示すように、本体１１の化粧枠１１ｂに角穴２９が形成され、その奥に空間１１ｂａが形成されている。角穴２９のある部分の化粧枠１１ｂの厚さｃは、引掛係止部材２３（図５）の引掛部２３ａの突出量ａと等しくなっており、取付状態において、引掛部２３ａ、２３ｂが空間１１ｂａ内に位置する。即ち、図９に示すように引掛係止部材２３の引掛部２３ａは、化粧枠１１ａの裏側に位置することになる。この状態では、押込係止部材２５は、仕切体１５に係合している。一方、図８に示すように、仕切体１３の両側面には、角穴３１が作成され、それを覆う化粧枠１３ａの当該部には、切欠き１３ａａが設けられている。引掛部２３ｂの突出量ｆ（図５）は、化粧枠１３ａの厚さｅと仕切体１３の厚さｄとの和に等しく設定されており、取付状態において、引掛係止部材２３の引掛部２３ｂが仕切体１３の内側に位置する。そして引掛部２３ａは切欠き１３ａａの中に収容される。この状態が図１０に示されている。図１０において、仕切体１３に交差する仕切体１７にコーナカバー２０の押込係止部材２５が弾性的に係合している。このようにして、コーナカバー２０は、図１に示すように、取着される。
【００１１】
次に、本発明の別の実施形態を説明する。図１１、図１２及び図１５には、後述するようにＬ形断面の板状本体を有するコーナカバー６０が、箱状構造体である貯蔵庫の本体７１と仕切体７３とが交差する角部に取り付けられている状態が示されている。勿論、コーナカバー６０は、貯蔵庫の本体内面同士の交差角部や仕切体と仕切体の交差角部にも取付け得るものであり、これは以後の説明により容易に理解されるであろう。
先ず、取り付け部の構造を更に詳しく説明するため図１１及び図１２を特に参照すると、本体７１の内面の表面には、化粧枠７５が取り付けられており、これは、前述の化粧枠１１ｂ（図７）と外形的には同様のものである。仕切体７３は、コ形断面の前面枠（フロントフレーム）７７に同様にコ形断面の内装枠（インナフレーム）７９が、本体開口部の内側（奥側）から嵌装されて構成されている。前面枠７７及び内装枠７９には、分解斜視図である図１５に示されるように角穴７７ａ及び切欠き７９ａがそれぞれ形成されていて、後述するようにコーナカバー６０の取付けに供せられる。いずれの交差角部にもコーナカバー６０が取り付けられるから、角穴７７ａ及び切欠き７９ａは、各仕切体７３にそれぞれ４個形成される。
【００１２】
そして、コーナカバー６０自体の形状が、特に図１３及び図１４に明示されている。コーナカバー６０は、板状本体６１を有し、これは直角に交差する２枚の端板６３，６５から形成されている。２枚の端板のうち一方の端板６５の裏面から弾性係止部材である舌状部材６７が一体的に突出して形成されている。舌状部材６７の先端部には、幅方向に延びる係止突起即ち爪６７ａが形成され、この爪６７ａは、図１１及び図１２に示されるように、仕切体７３の前面枠７７の角穴７７ａを通り、その裏面に係合して係止される。舌状部材６７の無い端板６３の裏面には、微小な突起６３ｂが形成され、本体７１の化粧枠７５に接して取り付けたときに、所謂座りを良くする。尚、図１４では必ずしも明確では無いが、端板６３，６５の先端６３ａ，６５ａは、若干裏面側に湾曲して突起し、図１１に示すように貯蔵庫の角部に取着したとき、化粧枠７５、内装枠７９に押し付けられるように接触し、これらとの間に隙間が発生することを防止する。
更に、板状本体６１の両側端には、端板６３．６５と一体的に、薄肉の側端覆い６８，６９が形成されている。この側端覆い６８，６９は、角部に形成される隙間を側方から覆い隠し、美観を形成すると共に横方向への変位を防止する。この側端覆い６８，６９は、できるだけ薄く製作される。以上のような構造のコーナカバー６０の仕切体７３への取付け状態を分かりやすくするため、図１５に分解斜視図が示されている。
【００１３】
上述のように、コーナカバー６０の舌状部材６７を受け入れて保持する穴が形成される仕切体７３の前面枠７７のような構造部材が無い場合、例えば図１６に示すように角部の両側が本体７１の外箱８１と内箱８３及び化粧枠７５で構成されているような場合には、図１７に示すように、ブレース９０がリべット８５で固定されて使用される。ブレース９０は、Ｌ字形に折り曲げられた（Ｌ形断面を有する）留め板状の部材で、中央部に穴９１を有する。ブレース９０は、一般に製作性や取り扱い性を考慮して対称形状を有するようになっているから、双子状の穴９１の一方の小穴に図１７に示すようにコーナカバー６０の舌状部材６７を挿入したとき、他方の小穴は、遊ぶことになる。そして、図１７に明確に示されるように、ブレース９０の幅は、交差部の幅より小さくなっていて、本体の側面より退いた形となっている。
【００１４】
ブレース９０の詳細な形状が図１８及び図１９に図示されている。中央部に折り曲げ部を跨いで穴９１が形成されており、４隅に近接してリベット穴９３が形成されている。特に図１９の断面図で明らかなように、穴９１の周縁が裏側に折り曲げられて折り曲げ係止部９５が形成されている。図示はされていないが、コーナカバー６０を図１７に示す要領で取り付けると、舌状部材６７が折り曲げ係止部９５に近接して平行に延び、爪６７ａがその先端より先に出て引掛けられる。勿論、舌状部材６７は、弾性部材であるから挿入に際し爪６７ａが折り曲げ係止部９５に接して反った形に変形し、爪６７ａが折り曲げ係止部９５を越えれば元の形に復帰し、爪６７ａが折り曲げ係止部９５の先端で係止される。
【００１５】
コーナカバー６０の舌状部材６７を係止する折り曲げ係止部は、前述のように形成しても良いが、図２０及び図２１に示すように形成しても良い。即ち、図２０及び図２１において、ブレース１００は、対称形であるが、２個の穴１０１が中心部に形成され、更に４隅にリベット用穴１０３が形成されている。そして、折り曲げ係止部１０５は、外端で裏側に折り曲げられて形成され、更に折り曲げられてその先端部１０５ａは、本体の裏面に沿って延び、穴１０１に対応する位置で終端している。そして、コーナカバー６０が取り付けられると、その舌状部材６７の爪６７ａが、折り曲げ係止部１０５の先端１０５ａに係止される。図１３及び図１４で明らかなように、コーナカバー６０の爪６７ａには、先端が薄くなるような傾斜案内面が形成されており、押し込みと引掛に便ならしめている。尚、折り曲げ係止部１０５の幅は、取り付けられる貯蔵庫の本体の構造物に干渉しないものになっている。以上のようなブレース９０，１００における折り曲げ係止部９５，１０５は、本来的には前述のとおり舌状部材６７を係止して保持するものであるが、ブレース９０，１００の剛性を増大し、捻りに対し大きな抵抗を与えている。
【００１６】
以上のようなブレース９０，１００を使用し、あるいは使用せずにコーナカバー６０を取り付けた後、貯蔵庫本体、及び仕切体の内部には、断熱材が注入、発泡、充填されるが、コーナカバー６０の舌状部材６７は、その断熱材充填空間内に入っており、最終的にしっかりと碇着される。従って、舌状部材６７の爪６７ａの長さなどの形状、寸法は、この碇着作用が効果的に行えるように選定される。
【００１７】
【発明の効果】
以上説明したように、本発明によれば、コーナカバーは、従来のような端縁部ではなく、箱状構造体の本体又は仕切体の中心部の穴に弾性係止部材が挿入保持されるので、離脱の基になる外力も係止保持部に作用し難く安定して保持され、交差部の隙間を簡単に且つ美観を呈して覆うことができる。
更に、本発明によれば、コーナカバーの弾性係止部材を押込係止部材とし、これに引掛係止部材を併用し、これにより引掛係止部材を相手方の角穴に挿入し引掛けた状態で、押込係止部材を係止爪の弾性変形を利用して固定するので、極めて容易に取りつけられると共に、しっかりした接続関係を達成できる。
又更に本発明によれば、コーナカバーの弾性係止部材を先端部に引掛部を有する舌状部材とし、更に両側端に薄い側端覆いを有するので、ぐらつきも無くしっかりと保持され、外部への突出も無く箱状構造体の交差接続部の隙間を簡単且つ奇麗に覆うことができる。
【図面の簡単な説明】
【図１】  本発明の実施形態の全体構造を示す斜視図である。
【図２】  前記実施形態の要部を示す斜視図である。
【図３】  図２中の矢印IIIの方向からみた平面図である。
【図４】  図２中の矢印IVの方向からみた平面図である。
【図５】  図３中のV−V線に沿う断面図である。
【図６】  前記実施例の要部であるコーナカバーの取着部を示す部分拡大斜視図である。
【図７】  図６中のVII−VII線に沿う部分断面図である。
【図８】  図６中のVIII−VIII線に沿って切断した部分断面図である。
【図９】  本体と仕切体との間のコーナカバーの取付状態を示す部分断面図である。
【図１０】  仕切体と仕切体との間のコーナカバーの取付状態を示す部分断面図である。
【図１１】  本発明の別の実施形態の部分側面図である。
【図１２】  図１１のXII-XII 線に沿った断面図である。
【図１３】  図１１に示す実施形態の主要部材を示す正面図である。
【図１４】  図１３に対応する前記主要部材の断面図である。
【図１５】  図１１に示した実施形態の分解斜視図である。
【図１６】  図１１に示す実施形態の変形例の部分断面図である。
【図１７】  前記変形例の分解斜視図である。
【図１８】  前記変形例に用いるブレースの斜視図である。
【図１９】  図１８に対応する前記ブレースの断面図である。
【図２０】  前記ブレースの変形例を示す斜視図である。
【図２１】  図２０に対応する断面図である。
【図２２】  従来のものの一例を示す概念斜視図である。
【図２３】  図２２の部分拡大図である。
【図２４】  別の従来例を示す、一部部材が除去されている部分斜視図である。
【図２５】  図２４に対応する部分断面図である。
【図２６】  図２４の従来例の外観を示す斜視図である。
【符号の説明】
１０…貯蔵庫、１１…本体、１３…仕切体、１５…仕切体、１７…仕切体、２０…コーナカバー、２１…本体、２１ｃ…一端板、２１ｄ…他端板、２３…引掛係止部材、２３ａ…引掛部、２３ｂ…引掛部、２５…押込係止部材、２５ａ…係止爪、２５ｂ…係止爪、２７…角穴、２９…角穴、３１…角穴、６０…コーナカバー、６１…板状本体、６３，６５…端板、６７…舌状部材、６７ａ…爪、６８，６９…側端覆い、７１…本体、７３…仕切体、７７…前方枠、７７ａ…角穴、７９…内装枠、９０…ブレース、９１…穴、９５…折り曲げ係止部、１００…ブレース、１０１…穴、１０５…折り曲げ係止部、１０５ａ…先端。
【図１】
0003683311.tif 000002
【図２】
0003683311.tif 000003
【図３】
0003683311.tif 000004
【図４】
0003683311.tif 000005
【図５】
0003683311.tif 000006
【図６】
0003683311.tif 000007
【図７】
0003683311.tif 000008
【図８】
0003683311.tif 000009
【図９】
0003683311.tif 000010
【図１０】
0003683311.tif 000011
【図１１】
0003683311.tif 000012
【図１２】
0003683311.tif 000013
【図１３】
0003683311.tif 000014
【図１４】
0003683311.tif 000015
【図１５】
0003683311.tif 000016
【図１６】
0003683311.tif 000017
【図１７】
0003683311.tif 000018
【図１８】
0003683311.tif 000019
【図１９】
0003683311.tif 000020
【図２０】
0003683311.tif 000021
【図２１】
0003683311.tif 000022
【図２２】
0003683311.tif 000023
【図２３】
0003683311.tif 000024
【図２４】
0003683311.tif 000025
【図２５】
0003683311.tif 000026
【図２６】
0003683311.tif 000027